(57)【要約】【課題】カートリッジ収納型ホログラム記録媒体を小さくすることが可能となると共に、発生する迷光を抑制して記録信号のノイズ低下及び記録容量低下を抑制することが可能な、カートリッジ収納型ホログラム記録媒体を提供する。【解決手段】円盤状のディスク型ホログラム記録媒体４と、該ディスク型ホログラム記録媒体４を内部に回転自在に収納すると共に、外光が内部に入らないように遮光された筐体２と、ディスク型ホログラム記録媒体４の表面及び裏面に、投射光が入射または出射可能に筐体２に設けられた筐体開口部５と、ディスク型ホログラム記録媒体４に対して、投射光を用いて書込または読取を行うときに筐体開口部５を開き、それ以外のときに該筐体開口部５を閉じるシャッター３とを備えて、カートリッジ収納型ホログラム記録媒体１を構成する。【選択図】図１
2010238306.tif 000002
【特許請求の範囲】
【請求項１】
円盤状のディスク型ホログラム記録媒体と、
該ディスク型ホログラム記録媒体を内部に回転自在に収納しており、外光が内部に入らないように遮光された筐体と、
前記ディスク型ホログラム記録媒体の表面及び裏面に、投射光が入射または出射可能に前記筐体に設けられた筐体開口部と、
前記ディスク型ホログラム記録媒体に対して、前記投射光を用いて書込または読取を行うときに前記筐体開口部を開き、それ以外のときに該筐体開口部を閉じるシャッターと、を備えることを特徴とするカートリッジ収納型ホログラム記録媒体。
【請求項２】
請求項１記載のカートリッジ収納型ホログラム記録媒体において、
前記筐体開口部は、前記ディスク型ホログラム記録媒体の半径方向に沿って形成されているカートリッジ収納型ホログラム記録媒体。
【請求項３】
請求項１または２記載のカートリッジ収納型ホログラム記録媒体において、
前記筐体開口部は、前記ディスク型ホログラム記録媒体の外周端まで、前記投射光が到達可能に形成されているカートリッジ収納型ホログラム記録媒体。
【請求項４】
請求項１〜３のいずれか１項記載のカートリッジ収納型ホログラム記録媒体において、
前記筐体開口部は、該筐体開口部の外縁端が開放されて形成されているカートリッジ収納型ホログラム記録媒体。
【請求項５】
請求項１〜３のいずれか１項記載のカートリッジ収納型ホログラム記録媒体において、
前記筐体の外縁端に、該外縁端に沿って前記筐体開口部を閉塞する筐体架橋桟が形成されているカートリッジ収納型ホログラム記録媒体。
【請求項６】
請求項１〜５のいずれか１項記載のカートリッジ収納型ホログラム記録媒体において、
前記シャッターは、
前記筐体の前記外縁端に沿ってスライド可能に前記筐体開口部を覆って該筐体開口部を閉じており、
前記筐体開口部の全体を外部に露出可能なシャッター開口部を備え、該シャッター開口部が前記筐体開口部の全体を外部に露出させるように前記シャッターをスライドさせることで、前記筐体開口部を開くカートリッジ収納型ホログラム記録媒体。
【請求項７】
請求項６記載のカートリッジ収納型ホログラム記録媒体において、
前記シャッター開口部は、該シャッター開口部の外縁端が開放されて形成されているカートリッジ収納型ホログラム記録媒体。
【請求項８】
請求項６記載のカートリッジ収納型ホログラム記録媒体において、
前記シャッターの外縁端に、該外縁端に沿って前記シャッター開口部を閉塞するシャッター架橋桟が形成されているカートリッジ収納型ホログラム記録媒体。
【請求項９】
請求項１〜８のいずれか１項記載のカートリッジ収納型ホログラム記録媒体に、前記投射光を用いて書込または読取を行うカートリッジ収納型ホログラム記録媒体の記録再生装置であって、
前記カートリッジ収納型ホログラム記録媒体に書込を行うのに使用される前記投射光である参照光及び信号光の光軸の、前記書込の際の軌跡が、前記カートリッジ収納型ホログラム記録媒体のディスク型ホログラム記録媒体の半径方向と一致するカートリッジ収納型ホログラム記録媒体の記録再生装置。
【請求項１０】
請求項１〜８のいずれか１項記載のカートリッジ収納型ホログラム記録媒体に、前記投射光を用いて書込または読取を行うカートリッジ収納型ホログラム記録媒体の記録再生装置であって、
前記カートリッジ収納型ホログラム記録媒体に書込を行うのに使用される前記投射光の１つである参照光は、該参照光の光軸が、前記カートリッジ収納型ホログラム記録媒体の外周側から内周側へ向くように、前記カートリッジ収納型ホログラム記録媒体に照射されるカートリッジ収納型ホログラム記録媒体の記録再生装置。
【発明の詳細な説明】
【技術分野】
【０００１】
本発明は、ホログラム技術を用いて情報を記録及び再生するのに用いられるカートリッジ収納型ホログラム記録媒体、及び、このカートリッジ収納型ホログラム記録媒体の記録再生装置に関する。
【背景技術】
【０００２】
近年、ホログラム技術を利用して大容量の情報を記録および再生するホログラム記録再生装置が提案されている。ホログラム記録再生装置では、情報を含んだ信号光と情報を含まない参照光とを同一のレーザ光から生成して、これらをホログラム記録媒体の同一箇所に照射する。
【０００３】
すると、ホログラム記録媒体上では信号光と参照光とが干渉することにより、照射箇所に回折格子（ホログラム）が形成されると共に、これが媒体に記録される。即ち、モノマーで形成されているホログラム記録媒体が、回折格子の形成によりポリマー化することで、媒体への記録が行われる。
【０００４】
このようにして記録されたホログラムに、参照光のみを照射すると、回折光（再生光）が発生する。この再生光は、記録時の信号光が持っていた情報を含んでいる。そこで、受光素子がこの再生光を受光することにより、情報を再生することができる。
【０００５】
上記のホログラム記録媒体では、このホログラム記録媒体に多くの情報を記録するために、多重記録と呼ばれる手法が用いられる。この多重記録とは、ホログラム記録媒体の同一箇所（または、互いに重なり合う領域）に、複数のホログラムを重ねて記録する方法である。この多重記録の方式としては、角度多重、シフト多重、回転多重、波長多重といった種々の方式が提案されている。
【０００６】
上記のような記録を行うのに用いられるホログラム記録媒体では、このホログラム記録媒体の記録層となる感光材料に、より多くの情報を記録できるようにするべく、開発が進められている。
【０００７】
このホログラム記録媒体に対しては、このホログラム記録媒体の記録層は感光性があるので、未記録の状態で可搬性を持たせるために、遮光性のあるカートリッジに収納する必要があり、種々の提案がなされている（例えば、特許文献１参照）。
【０００８】
特許文献１には、ホログラム記録媒体として、記録媒体をカートリッジに収納し、記録時に信号光と参照光を入射させる窓を、カートリッジの表面に設けると共に、再生時に再生光を出射させる窓を、カートリッジの裏面に設けた構成のカートリッジ収納型ホログラム記録媒体が、記載されている。
【先行技術文献】
【特許文献】
【０００９】
【特許文献１】特開２００５−３０２２２０号公報
【発明の概要】
【発明が解決しようとする課題】
【００１０】
ところで、上述したように、特許文献１に記載のカートリッジ収納型ホログラム記録媒体では、信号光及び参照光をカートリッジに入射させるためにカートリッジの表面に窓を設けている。
【００１１】
しかし、このカートリッジ収納型ホログラム記録媒体では、これらの参照光及び信号光の入射角度が、上記の記録媒体に対して大きい場合、この窓の形状を大きくする必要がある。
【００１２】
そのため、このカートリッジ収納型ホログラム記録媒体では、このディスク型ホログラム記録媒体を収容するカートリッジの外形を、ディスク型ホログラム記録媒体の外形に対して、かなり大きくする必要があり、外形が大きくなってディスク型ホログラム記録媒体の取扱に対する利便性が損なわれる問題が生じる。
【００１３】
また、カートリッジの表面に設けた窓の形状が大きくなることから、記録時に入射した信号光、若しくは、参照光が媒体表面や媒体内で反射して生じる不要光が、カートリッジ筐体内で迷光となり、この迷光により、モノマーで形成されているホログラム記録媒体が無駄にポリマー化するモノマーの無駄な消費が生じることになる。
【００１４】
そのため、このようなモノマーの消費により、カートリッジ収納型ホログラム記録媒体では、記録の品質が低下し、再生信号のノイズ増加や記録容量の低下を引き起こす原因となる。
【００１５】
そこで、この発明は、上記のような状況に対処するためになされたものであって、カートリッジ収納型ホログラム記録媒体を小さくすることが可能となると共に、発生する迷光を抑制して記録信号のノイズ低下及び記録容量低下を抑制することが可能な、カートリッジ収納型ホログラム記録媒体、及び、このカートリッジ収納型ホログラム記録媒体の記録再生装置を提供しようとするものである。
【課題を解決するための手段】
【００１６】
最初に、本発明のカートリッジ収納型ホログラム記録媒体について説明する。本発明のカートリッジ収納型ホログラム記録媒体は、円盤状のディスク型ホログラム記録媒体と、筐体と、筐体開口部と、シャッターとを備えることを特徴としている。
【００１７】
即ち、上記のカートリッジ収納型ホログラム記録媒体では、筐体は、該ディスク型ホログラム記録媒体を内部に回転自在に収納している。また、この筐体は、外光が内部に入らないように遮光されている。筐体開口部は、筐体に設けられており、ディスク型ホログラム記録媒体の表面及び裏面に、投射光が入射または出射可能に形成されている。
【００１８】
また、上記のカートリッジ収納型ホログラム記録媒体では、投射光を用いて書込または読取を行うときに筐体開口部を開き、それ以外のときに該筐体開口部を閉じるシャッターを備えている。
【００１９】
そして、シャッターは、ディスク型ホログラム記録媒体に対して、投射光を用いて書込または読取を行うときに筐体開口部を開き、それ以外のときに該筐体開口部を閉じる機能を備えている。
【００２０】
そのため、書込または読取を行わないときは、このシャッターにより、筐体開口部を閉じることができるので、筐体内への入射光を抑制することができる。従って、書込の際のモノマーの無駄な消費を抑制することができ、記録信号のノイズ低下、及び、記録容量低下を抑制することができる。
【００２１】
上記のカートリッジ収納型ホログラム記録媒体において、筐体開口部は、ディスク型ホログラム記録媒体の半径方向に沿って形成するのが、好適である。また、筐体開口部は、ディスク型ホログラム記録媒体の外周端まで、投射光が到達可能に形成するのが、好適である。
【００２２】
上記のカートリッジ収納型ホログラム記録媒体によれば、筐体開口部は、ディスク型ホログラム記録媒体の外周端まで、投射光が到達可能に形成されている。そのため、カートリッジ収納型ホログラム記録媒体の記録容量を増加することができる。
【００２３】
また、ディスク型ホログラム記録媒体を収容する筐体であるカートリッジを小さくすることができ、カートリッジ収納型ホログラム記録媒体の取扱に対する利便性を向上することができる。
【００２４】
また、小型化により、筐体の剛性が向上し、耐振動性を向上することができる。これにより、ディスク型ホログラム記録媒体の振動を抑制することができ、この振動により発生する記録信号の干渉縞の揺らぎを、低減することができる。
【００２５】
また、上記のカートリッジ収納型ホログラム記録媒体において、筐体開口部は、該筐体開口部の外縁端を開放して形成するようにしてもよい。このようにすることにより、ディスク型ホログラム記録媒体を収容する筐体であるカートリッジの形状がシンプルになり、カートリッジ収納型ホログラム記録媒体の形成コスト低下を、図ることができる。
【００２６】
或いは、上記のカートリッジ収納型ホログラム記録媒体の筐体の外縁端に、該外縁端に沿って筐体開口部を閉塞する筐体架橋桟を形成するようにしてもよい。このようにすることにより、筐体の剛性が向上し、筐体の厚みを薄くすることができる。また、耐振動性を向上することができる。これにより、ディスク型ホログラム記録媒体の振動を抑制することができ、この振動により発生する記録信号の干渉縞の揺らぎを、低減することができる。
【００２７】
また、上記のカートリッジ収納型ホログラム記録媒体において、シャッターを次のように形成するのが好適である。即ち、シャッターは、筐体の外縁端に沿ってスライド可能に筐体開口部を覆って該筐体開口部を閉じる構成とする。
【００２８】
また、このシャッターには、筐体開口部の全体を外部に露出可能なシャッター開口部を備え、このシャッター開口部が筐体開口部の全体を外部に露出させるようにシャッターをスライドさせることで、筐体開口部を開くようにするのである。
【００２９】
このようにすることにより、シャッターの構成をシンプルにすることができると共に、カートリッジ収納型ホログラム記録媒体の筐体開口部の開閉を、スムースに行うことができる。
【００３０】
上記のシャッターに関し、シャッター開口部を、該シャッター開口部の外縁端が開放するようにして形成してもよい。このようにすることにより、ディスク型ホログラム記録媒体を収容する筐体のシャッターの形状がシンプルになり、カートリッジ収納型ホログラム記録媒体の形成コスト低下を、図ることができる。
【００３１】
また、上記のシャッターを備えたカートリッジ収納型ホログラム記録媒体において、シャッターの外縁端に、該外縁端に沿ってシャッター開口部を閉塞するシャッター架橋桟を形成するようにしてもよい。
【００３２】
このようにすることにより、シャッターの剛性が向上し、耐振動性を向上することができる。これにより、ディスク型ホログラム記録媒体の振動を抑制することができ、この振動により発生する記録信号の干渉縞の揺らぎを、低減することができる。
【００３３】
次に、本発明のカートリッジ収納型ホログラム記録媒体の記録再生装置について説明する。本発明のカートリッジ収納型ホログラム記録媒体の記録再生装置は、上述したいずれかのカートリッジ収納型ホログラム記録媒体に、投射光を用いて書込または読取を行うカートリッジ収納型ホログラム記録媒体の記録再生装置である。
【００３４】
上記のカートリッジ収納型ホログラム記録媒体の記録再生装置は、カートリッジ収納型ホログラム記録媒体に書込を行うのに使用される投射光である参照光及び信号光の光軸の、書込の際の軌跡が、カートリッジ収納型ホログラム記録媒体の半径方向と一致するように形成されている。
【００３５】
このため、このカートリッジ収納型ホログラム記録媒体の記録再生装置は、ディスク型ホログラム記録媒体の半径方向に沿って形成された筐体開口部を備えているディスク型ホログラム記録媒体への書込や読取を、スムースに行うことができる。
【００３６】
また、上述したいずれかのカートリッジ収納型ホログラム記録媒体に、投射光を用いて書込または読取を行う本発明のカートリッジ収納型ホログラム記録媒体の記録再生装置を、次のように、構成することができる。
【００３７】
即ち、カートリッジ収納型ホログラム記録媒体に書込を行うのに使用される投射光の１つである参照光は、該参照光の光軸が、カートリッジ収納型ホログラム記録媒体の外周側から内周側へ向くように、カートリッジ収納型ホログラム記録媒体に照射されるようにして、カートリッジ収納型ホログラム記録媒体の記録再生装置を形成するのである。
【００３８】
このようにすることにより、カートリッジ収納型ホログラム記録媒体の読取を行うときに用いられる共役ミラーを、カートリッジ収納型ホログラム記録媒体の内周側に配置することができる。従って、カートリッジ収納型ホログラム記録媒体の記録再生装置を小型化することができる。
【発明の効果】
【００３９】
本発明によれば、カートリッジ収納型ホログラム記録媒体は、投射光を用いて書込または読取を行うときに筐体開口部を開き、それ以外のときに該筐体開口部を閉じるシャッターを備えている。
【００４０】
そのため、書込または読取を行わないときは、このシャッターにより、筐体開口部を閉じることができるので、筐体内に迷光が発生するのを、抑制することができる。従って、書込の際のモノマーの無駄な消費を抑制することができ、記録信号のノイズ低下、及び、記録容量低下を、抑制することができる。
【００４１】
また、カートリッジ収納型ホログラム記録媒体の筐体開口部は、ディスク型ホログラム記録媒体の外周端まで、投射光が到達可能に形成されているので、ディスク型ホログラム記録媒体を収容する筐体であるカートリッジを小さくすることができる。
【００４２】
そのため、記録媒体の記録容量を増加することができると共に、カートリッジ収納型ホログラム記録媒体の取扱に対する利便性が向上する。また、小型化により、筐体の剛性が向上し、耐振動性を向上することができる。これにより、ディスク型ホログラム記録媒体の振動を抑制することができ、この振動により発生する記録信号の干渉縞の揺らぎを低減することができる。
【００４３】
また、カートリッジ収納型ホログラム記録媒体の外縁端に、該外縁端に沿って筐体開口部を閉塞する筐体架橋桟が形成されているので、筐体の剛性が向上し、耐振動性を向上することができる。これにより、ディスク型ホログラム記録媒体の振動を抑制することができ、この振動により発生する記録信号の干渉縞の揺らぎを低減することができる。
【００４４】
また、カートリッジ収納型ホログラム記録媒体のシャッターは、筐体開口部の全体を露出可能なシャッター開口部を備えており、このシャッターの外縁端に、該外縁端に沿ってシャッター開口部を閉塞するシャッター架橋桟が形成されている。
【００４５】
そのため、シャッターの剛性が向上し、耐振動性を向上することができる。これにより、ディスク型ホログラム記録媒体の振動を抑制することができ、この振動により発生する記録信号の干渉縞の揺らぎを低減することができる。
【図面の簡単な説明】
【００４６】
【図１】本実施の形態におけるカートリッジ収納型ホログラム記録媒体の表面の外観を示した斜視図である。
【図２】本実施の形態におけるカートリッジ収納型ホログラム記録媒体の裏面の外観を示した斜視図である。
【図３】本実施の形態におけるカートリッジ収納型ホログラム記録媒体のディスク型ホログラム記録媒体の断面図である。
【図４】本実施の形態におけるカートリッジ収納型ホログラム記録媒体のディスク型ホログラム記録媒体の表面を上から見た平面図である。
【図５】本実施の形態におけるカートリッジ収納型ホログラム記録媒体のシャッターを外した状態における、（ａ）はその表面を示した正面図、（ｂ）はその側面図、そして、（ｃ）はその裏面を示した背面図である。
【図６】本実施の形態におけるカートリッジ収納型ホログラム記録媒体のカートリッジの斜視図である。
【図７】本実施の形態におけるカートリッジ収納型ホログラム記録媒体のシャッターにおける、（ａ）はその表面を示した正面図、（ｂ）はその側面図、そして、（ｃ）はその裏面を示した背面図である。
【図８】本実施の形態におけるカートリッジ収納型ホログラム記録媒体のシャッターの斜視図である。
【図９】本実施の形態におけるカートリッジ収納型ホログラム記録媒体のシャッターを開いた状態における表面から見た斜視図である。
【図１０】本実施の形態におけるカートリッジ収納型ホログラム記録媒体のシャッターを開いた状態における裏面から見た斜視図である。
【図１１】本実施の形態におけるカートリッジ収納型ホログラム記録媒体の記録再生装置に備えられているキャリッジにカートリッジ収納型ホログラム記録媒体を搭載した状態を示した斜視図である。
【図１２】本実施の形態におけるカートリッジ収納型ホログラム記録媒体の記録再生装置の光学系機構の構成及び動作を示した説明図（その１）である。
【図１３】本実施の形態におけるカートリッジ収納型ホログラム記録媒体の記録再生装置の光学系機構の構成及び動作を示した説明図（その２）である。
【図１４】図１２の部分拡大図である。
【図１５】図１３の部分拡大図である。
【図１６】本実施の形態における他の例（その１）のカートリッジ収納型ホログラム記録媒体のカートリッジの斜視図である。
【図１７】本実施の形態における他の例（その１）のカートリッジ収納型ホログラム記録媒体のシャッターが開いた状態のカートリッジ開口部付近の拡大斜視図である。
【図１８】本実施の形態における他の例（その２）のカートリッジ収納型ホログラム記録媒体のシャッターの斜視図である。
【図１９】本実施の形態における他の例（その２）のカートリッジ収納型ホログラム記録媒体のシャッターが開いた状態のカートリッジ開口部付近の拡大斜視図である。
【発明を実施するための形態】
【００４７】
次に、本発明の実施の形態におけるカートリッジ収納型ホログラム記録媒体、及び、カートリッジ収納型ホログラム記録媒体の記録再生装置について、図面に基づき詳細に説明する。
【００４８】
カートリッジ収納型ホログラム記録媒体は、ホログラム技術を利用して大容量の情報を書込、及び、読取するための媒体である、このカートリッジ収納型ホログラム記録媒体に対する情報を書込、及び、読取は、カートリッジ収納型ホログラム記録媒体の記録再生装置により行われる。
【００４９】
最初に、本発明の実施の形態におけるカートリッジ収納型ホログラム記録媒体について説明する。図１は、本実施の形態におけるカートリッジ収納型ホログラム記録媒体１の表面の外観を示した斜視図、図２は、その裏面の外観を示した斜視図である。
【００５０】
図１、図２において、カートリッジ収納型ホログラム記録媒体１は、方形で板状のカートリッジ２と、このカートリッジ２に内蔵されている円盤状のディスク型ホログラム記録媒体４と、カートリッジ２に、スライド自在に取り付けられているシャッター３とで構成されている。
【００５１】
図３は、ディスク型ホログラム記録媒体４の断面図、図４は、ディスク型ホログラム記録媒体４の表面を上から見た平面図である。図３、図４において、ディスク型ホログラム記録媒体４は、上述したように円盤状であり、円盤状の透明基板４ａ，４ｂと、これらの透明基板４ａ，４ｂ間に狭持された円盤状の記録媒体４ｃ、及び、中心部に、磁性材料で形成された円柱状のハブ４ｄとで構成されている。
【００５２】
このディスク型ホログラム記録媒体４を構成する上記の透明基板４ａ，４ｂ、及び、記録媒体４ｃの厚みは、例えば、透明基板４ａ，４ｂが、１ｍｍ、記録媒体４ｃが、１.５ｍｍである。
【００５３】
図５は、シャッター３を外した状態のカートリッジ収納型ホログラム記録媒体１を示した３面図で、（ａ）は、その表面を示した正面図、（ｂ）は、その側面図、そして、（ｃ）は、その裏面を示した背面図である。また、図６は、カートリッジ収納型ホログラム記録媒体１のカートリッジ２を示した斜視図である。
【００５４】
図５、図６において、カートリッジ２は、上述したように、４辺を備えた方形の板状であり、内部に、ディスク型ホログラム記録媒体４を収納する空間が形成され、この内部には、上述したように、ディスク型ホログラム記録媒体４が、回転可能に収容されている。また、このディスク型ホログラム記録媒体４が収容されている内部空間には、外光が入らないように、カートリッジ２は、遮光されて形成されている。
【００５５】
また、カートリッジ２は、上記の４辺の内の１辺の中央部から、この４辺に隣接する２辺に平行に、カートリッジ２の中心に至るスリット状のカートリッジ開口部（前述の筐体開口部）５が、形成されている。
【００５６】
そのため、このスリット状のカートリッジ開口部５におけるスリットの長手方向は、カートリッジ２の内部空間に収容されている円盤状のディスク型ホログラム記録媒体４の半径方向と一致する。即ち、カートリッジ収納型ホログラム記録媒体１のカートリッジ開口部５は、円盤状のディスク型ホログラム記録媒体４の半径方向に沿って形成されている。このスリットの幅は、例えば、３ｍｍである。
【００５７】
また、このカートリッジ開口部５は、上述したように、スリット状であり、従って、このカートリッジ開口部５の外縁端は開放された状態である。そのため、後述するように、ディスク型ホログラム記録媒体４が記録再生装置に装着された際に、このカートリッジ開口部５のカートリッジ表面開口面５ａから入射する参照光、或いは、信号光を、ディスク型ホログラム記録媒体４の外周端まで、到達させることができる。
【００５８】
また、カートリッジ２には、カートリッジ開口部５の奥におけるカートリッジ２の裏面の中央部付近に、円形のカートリッジ円状開口面５ａが形成されている。このカートリッジ円状開口面５ａに、ディスク型ホログラム記録媒体４の中心に形成された円柱状のハブ４ｄの裏面側が挿入されており、これにより、カートリッジ円状開口面５ａが、回転軸となる円柱状のハブ４ｄの回転軸ガイドの役割を果たす。この仕組により、ディスク型ホログラム記録媒体４が、回転可能となる。
【００５９】
図７は、カートリッジ収納型ホログラム記録媒体１のシャッター３を示した３面図で、（ａ）は、その表面を示した正面図、（ｂ）は、その側面図、そして、（ｃ）は、その裏面を示した背面図である。また、図８は、このシャッター３を示した斜視図である。
【００６０】
図７、図８において、シャッター３は、薄板をコ字形に折り曲げて形成されており、４辺を備えた方形状をしている。このシャッター３は、上述したように、金属の板を折り曲げて形成しているが、このほか、成形品で構成してもよい。
【００６１】
このシャッター３は、カートリッジ２のカートリッジ開口部５が設けられている側の外縁端に沿って、スライド可能に形成されている。即ち、シャッター３の側面の裏面が、カートリッジ２の側面の表面に接しており、シャッター３は、カートリッジ２の側面上を、このカートリッジ２の側面に沿ってスライドする。
【００６２】
このシャッター３は、上記のカートリッジ２と同様に、上記の４辺の内の１辺の中央部から、この４辺に隣接する２辺に平行に、カートリッジ２の中心に至るスリット状のシャッター開口部６が、形成されている。
【００６３】
このスリット状のシャッター開口部６は、このシャッター開口部６がカートリッジ開口部５と重なった状態下では、カートリッジ開口部５の全体を外部に露出可能なように、形成されている。
【００６４】
そのため、このスリット状のシャッター開口部６におけるスリットの向きは、カートリッジ２の内部空間に収容されている円盤状のディスク型ホログラム記録媒体４の半径方向と平行である。また、このスリットの幅は、カートリッジ開口部５の幅よりも多少広く、例えば、４ｍｍである。
【００６５】
また、シャッター３には、カートリッジ２と同様、シャッター開口部６の奥におけるシャッター３の裏面の中央部付近に、円形のシャッター裏面開口面６ａが形成されている。このシャッター円状開口面６ａは、このシャッター円状開口面６ａの円状開口面の直径が、カートリッジ円状開口面５ａの直径よりも多少大きくなるように形成されている。
【００６６】
上記のシャッター円状開口面６ａは、シャッター開口部６がカートリッジ開口部５と重なった状態下では、カートリッジ円状開口面５ａと重なった状態である。従って、この状態下では、ディスク型ホログラム記録媒体４の中心に形成された円柱状のハブ４ｄの裏面が、図１０に示すように、カートリッジ円状開口面５ａ、及び、シャッター円状開口面６ａを介して外部に露出している。しかし、通常は、カートリッジ円状開口面５ａは、図２に示すように、シャッター３の裏面で覆われている。
【００６７】
上記のシャッター３は、図１、図２に示すように、シャッター３が、カートリッジ開口部５の全体、及び、カートリッジ円状開口面５ａを覆う位置に通常存在するように、図示されていないバネで付勢されて、カートリッジ２に装着されている。
【００６８】
カートリッジ開口部５がシャッター３により覆われて、カートリッジ開口部５が閉じられている図１、図２に示す状態から、図９、図１０に示すように、矢印の方向にシャッター３をスライドさせると、シャッター３は、シャッター開口部６がカートリッジ開口部５と重なった状態で停止するように、シャッター３がカートリッジ２に装着されている。
【００６９】
このシャッター３がスライドして、シャッター開口部６がカートリッジ開口部５と重なった状態では、上述したように、カートリッジ開口部５の全体、及び、カートリッジ円状開口面５ａが、外部に露出された状態となる。
【００７０】
また、カートリッジ収納型ホログラム記録媒体１は、後述するように、ディスク型ホログラム記録媒体４が記録再生装置に装着されて、シャッター３が開いた状態で使用される際には、上述したように、ディスク型ホログラム記録媒体４の中心に形成された円柱状のハブ４ｄの裏面が、カートリッジ円状開口面５ａ、及び、シャッター円状開口面６ａを介して外部に露出している。
【００７１】
そこで、この外部に露出しているディスク型ホログラム記録媒体４のハブ４ｄの裏面が、カートリッジ収納型ホログラム記録媒体の記録再生装置に備えられている回転駆動機構に備えられているマグネットにより吸着されることで、カートリッジ収納型ホログラム記録媒体１の内部に収容されているディスク型ホログラム記録媒体４が、回転する。
【００７２】
次に、本発明の実施の形態におけるカートリッジ収納型ホログラム記録媒体の記録再生装置（以下、記録再生装置と称する）について説明する。図１１は、記録再生装置１０に備えられているキャリッジ４１に、カートリッジ収納型ホログラム記録媒体１を搭載した状態を示した斜視図である。この図１１は、キャリッジ４１を底面側から見た状態を示している。
【００７３】
図１１において、キャリッジ４１は、相対面するフォーク端部４１ａを前部の両側端とする凹部４１ｂを備えた水平な板状をしている。この凹部４１ｂの奥中央には、回転駆動機構４２が備えられている。この回転駆動機構４２は、図示しないモータが内蔵されており、このモータの回転軸の上面にはマグネットが備えられている。
【００７４】
上記の記録再生装置１０において、上述したカートリッジ収納型ホログラム記録媒体１は、キャリッジ４１の上面に載置されて、図示しない固定機構により、キャリッジ４１に固定される。
【００７５】
この固定が行われると同時に、図示しないシャッター駆動機構により、カートリッジ収納型ホログラム記録媒体１のシャッター３がスライドされて開かれ、カートリッジ収納型ホログラム記録媒体１が、図９、図１０に示す状態になると共に、カートリッジ収納型ホログラム記録媒体１に内蔵されているディスク型ホログラム記録媒体４のハブ４ｄの裏面が、回転駆動機構４２のモータの回転軸のマグネットに吸着される。この状態で、回転駆動機構４２のモータが回転することにより、ディスク型ホログラム記録媒体４が回転する。
【００７６】
また、上記のキャリッジ４１の凹部４１ｂの上方及び下方には、記録再生装置１０の後述する光学系機構１１が装着される。そして、この光学系機構１１から発射される投射光が、ディスク型ホログラム記録媒体４のカートリッジ開口部５、及び、シャッター開口部６を介して、カートリッジ収納型ホログラム記録媒体１に内蔵されているディスク型ホログラム記録媒体４に、投射される。
【００７７】
また、キャリッジ４１は、光学系機構１１に対して、カートリッジ２のカートリッジ開口部５のスリットの長手方向と同じ方向、即ち、カートリッジ収納型ホログラム記録媒体１に内蔵されているディスク型ホログラム記録媒体４の半径方向に沿って、このディスク型ホログラム記録媒体４の内周側から外周側に向かって移動する。
【００７８】
図１２、図１３は、記録再生装置１０の光学系機構１１の構成、及び、動作を示した説明図である。この内、図１２は、記録時、即ち、カートリッジ収納型ホログラム記録媒体１に書込を行う場合を示した説明図であり、図１３は、再生時、即ち、カートリッジ収納型ホログラム記録媒体１から読取を行う場合を示した説明図である。
【００７９】
記録再生装置１０の光学系機構１１は、図１２、図１３に示すように、レーザ光源２０、コリメータ部２１、記録シャッター２２、ビーム分離部２３、偏向ミラー２４、リレーレンズ２５、偏光ビームスプリッター（ＰＢＳ）２６、アパーチャー２７、対物レンズ２８、共役ミラー２９、撮像素子３０、及び、反射型液晶空間変調素子３１で、構成されている。
【００８０】
尚、図１２、図１３では、カートリッジ収納型ホログラム記録媒体１に内蔵されているディスク型ホログラム記録媒体４のみを記載している。しかし、実際には、ディスク型ホログラム記録媒体４は、ディスク型ホログラム記録媒体４のカートリッジ２の内部に内蔵されていると共に、ディスク型ホログラム記録媒体４は、記録再生装置１０のキャリッジ４１に載置されて移動される。
【００８１】
また、図１２、図１３では、これらの図に向かって左方向が、ディスク型ホログラム記録媒体４の外周側であり、向かって右方向が内周側である。従って、図１２、図１３では、ディスク型ホログラム記録媒体４は、右から左へ向かって移動する。
【００８２】
次に、記録再生装置１０の光学系機構１１における記録、即ち、書込を行う場合について説明する。この書込を行う場合は、参照光ＲＬと信号光ＳＬが、光学系機構１１から発射される上述した投射光である。
【００８３】
図１２において、レーザ光源２０から出射された光は、記録シャッター２２を含むコリメータ部２１により、平行光となる。この平行光は、ビーム分離部２３により参照光ＲＬと信号光ＳＬに分離される。
【００８４】
参照光ＲＬは偏向ミラー２４に反射され、リレーレンズ２５を透過してディスク型ホログラム記録媒体４に照射される。上記の偏向ミラー２４は角度可変であり、記録時及び再生時に駆動される。
【００８５】
ビーム分離部２３を直進してこのビーム分離部２３から出射された信号光ＳＬは、ビーム径を拡大され、偏光ビームスプリッター（ＰＢＳ）２６を透過して、反射型液晶空間変調素子３１に入射する。
【００８６】
反射型液晶空間変調素子３１は、信号光ＳＬを空間変調させる。この反射型液晶空間変調素子３１から反射された光は、ＰＢＳ２６により反射され、アパーチャー２７を通過して対物レンズ２８に集光され、ディスク型ホログラム記録媒体４に照射される。
【００８７】
そして、上記の信号光ＳＬと参照光ＲＬは、ディスク型ホログラム記録媒体４内において重なり、その結果として干渉縞が発生し、この干渉縞の光強度成分は、ディスク型ホログラム記録媒体４に、ホログラムとして記録される。
【００８８】
また、ディスク型ホログラム記録媒体４に照射する出射ビームの量を、記録シャッター２２により可変すると共に、偏向ミラー２４により角度の異なる参照光ＲＬを照射することで、ディスク型ホログラム記録媒体４内に、ホログラムを多重記録することができる。
【００８９】
次に、記録再生装置１０の光学系機構１１における再生、即ち、読取を行う場合について説明する。この読取を行う場合は、参照光ＣＲＬが、光学系機構１１から発射される上述した投射光である。尚、上記の説明と重なる部分については、説明を省略している。
【００９０】
図１３において、レーザ光源２０から出射された光は、ビーム分離部２３により、参照光ＣＲＬのみが分離される。分離された参照光ＣＲＬは、偏向ミラー２４で反射され、リレーレンズ２５を透過して、ディスク型ホログラム記録媒体４に照射される。
【００９１】
そして、このディスク型ホログラム記録媒体４を透過した光は、１／４波長板２９ａが装着された共役ミラー２９により、反射され、ディスク型ホログラム記録媒体４に再度照射される。
【００９２】
この再度ディスク型ホログラム記録媒体４に照射された光により、再生信号を含む再生光ＣＬが、対物レンズ２８を透過して、撮像素子３６に結像する。この場合に、偏向ミラー２４により、ディスク型ホログラム記録媒体４へ入射する角度を可変すると共に、共役ミラー２９の角度を可変することにより、記録した全ての信号を再生することができる。
【００９３】
次に、上述した記録時及び再生時の状態について、さらに詳しく説明する。まず、記録時において、図１４は、記録時の状態を示した図１２における参照光ＲＬ及び信号光ＳＬが照射されるカートリッジ収納型ホログラム記録媒体１の付近を、拡大した部分拡大図である。
【００９４】
図１４において、カートリッジ収納型ホログラム記録媒体１に対する参照光ＲＬ、及び、信号光ＳＬの光軸の相対的な移動軌跡は、ディスク型ホログラム記録媒体４の半径方向と、カートリッジ２におけるカートリッジ開口部５のスリットの長手方向、及び、シャッター３におけるシャッター開口部６のスリットの長手方向に平行な方向と、略一致する。
【００９５】
また、参照光ＲＬは、例えば、ビーム径がφ２ｍｍであり、ディスク型ホログラム記録媒体４に対して、例えば、入射角度４０°〜７０°の範囲で、偏向角度を変化させて書込を行う。
【００９６】
また、信号光ＳＬは、ビーム径φ１９ｍｍで、開口率ＮＡが０．６の対物レンズ２８により集光され、ディスク型ホログラム記録媒体４に対して、光軸の入射角５５°で入射する。このとき共役ミラー２９は、参照光ＲＬ、及び、信号光ＳＬに照射されないような位置に退避している。
図１５は、再生時の状態を示した図１３における参照光ＣＲＬが照射されるカートリッジ収納型ホログラム記録媒体１の付近を、拡大した部分拡大図である。図１５において、参照光ＣＲＬは、例えば、ビーム径φ２ｍｍであり、記録時の入射角度が４０°〜７０°の近傍となるよう、ディスク型ホログラム記録媒体４に入射させ、共役ミラー２９により反射させた光を、再度、ディスク型ホログラム記録媒体４に入射させる。
【００９７】
このディスク型ホログラム記録媒体４に再度入射した光は、ディスク型ホログラム記録媒体４から再生光ＣＬが射出され、この放射された再生光ＣＬが、対物レンズ２８に入射して、前記撮像素子３６に入射する。
【００９８】
上記の図１２〜図１５から分かるように、記録再生装置１０の光学系機構１１において、参照光ＲＬ、或いは、参照光ＣＲＬは、これらの光軸が、カートリッジ収納型ホログラム記録媒体１に内蔵されているディスク型ホログラム記録媒体４の、外周側から内周側へ向くように、光学系機構１１が配置されている。
【００９９】
そこで、この光学系機構１１では、共役ミラー２９は、図１２〜図１５に示すように、ディスク型ホログラム記録媒体４内周側に配置されている。
【０１００】
上述したカートリッジ収納型ホログラム記録媒体１によれば、投射光を用いて書込または読取を行うときに、カートリッジ収納型ホログラム記録媒体１のカートリッジ２におけるカートリッジ開口部５を開き、それ以外のときに、該カートリッジ開口部５を閉じるシャッター３を備えている。
【０１０１】
そのため、書込または読取を行わないときは、このシャッター３により、カートリッジ開口部５を閉じることができるので、カートリッジ２内に迷光が発生するのを抑制することができる。従って、書込の際のモノマーの無駄な消費を抑制することができ、記録信号のノイズ低下、及び、記録容量低下を抑制することができる。
【０１０２】
また、カートリッジ開口部５は、カートリッジ収納型ホログラム記録媒体１に内蔵されているディスク型ホログラム記録媒体４の外周端まで、投射光が到達可能に形成されている。そのため、カートリッジ収納型ホログラム記録媒体１の記録容量を増加することができる。
【０１０３】
また、ディスク型ホログラム記録媒体４を収容する筐体であるカートリッジ２を小さくすることができ、カートリッジ収納型ホログラム記録媒体１の取扱に対する利便性を向上することができる。
【０１０４】
また、小型化により、カートリッジ２の剛性が向上し、耐振動性を向上することができる。これにより、ディスク型ホログラム記録媒体４の振動を抑制することができ、この振動により発生する記録信号の干渉縞の揺らぎを、低減することができる。
【０１０５】
また、カートリッジ開口部５は、このカートリッジ開口部５の外縁端を開放して形成しているので、ディスク型ホログラム記録媒体を収容する筐体であるカートリッジの形状がシンプルになり、カートリッジ収納型ホログラム記録媒体の形成コスト低下を、図ることができる。
【０１０６】
また、シャッター３は、カートリッジ２の外縁端に沿ってスライド可能にカートリッジ開口部５を覆ってこのカートリッジ開口部５を閉じる構成としている。また、このシャッター３には、カートリッジ開口部５の全体を外部に露出可能なシャッター開口部６を備え、このシャッター開口部６がカートリッジ開口部５の全体を外部に露出させるようにシャッター３をスライドさせることで、カートリッジ開口部５を開くようにしている。
【０１０７】
そのため、シャッター３の構成をシンプルにすることができると共に、カートリッジ収納型ホログラム記録媒体１のカートリッジ開口部５の開閉を、スムースに行うことができる。
【０１０８】
また、上述した記録再生装置１０によれば、カートリッジ収納型ホログラム記録媒体１に書込を行うのに使用される投射光である参照光ＲＬ及び信号光ＳＬの光軸の書込の際の軌跡が、カートリッジ収納型ホログラム記録媒体１の半径方向と一致するように、記録再生装置１０が形成されている。
【０１０９】
このため、この記録再生装置１０は、ディスク型ホログラム記録媒体４の半径方向に沿って形成されたカートリッジ開口部５を備えているディスク型ホログラム記録媒体４への書込や読取を、スムースに行うことができる。
【０１１０】
また、カートリッジ収納型ホログラム記録媒体１に書込を行うのに使用される投射光の１つである参照光ＲＬは、該参照光ＲＬの光軸が、カートリッジ収納型ホログラム記録媒体１の外周側から内周側へ向くように、カートリッジ収納型ホログラム記録媒体１に照射されるようにして、記録再生装置１０が形成されている。
【０１１１】
そのため、カートリッジ収納型ホログラム記録媒体１の読取を行うときに用いられる共役ミラー２９を、カートリッジ収納型ホログラム記録媒体１の内周側に配置することが可能となっている。従って、記録再生装置１０を、小型化することができる。
【０１１２】
上記の本実施の形態におけるカートリッジ収納型ホログラム記録媒体１では、上述したように、共役ミラー２９は、図１２〜図１５に示すように、ディスク型ホログラム記録媒体４の内周側に配置されているが、ディスク型ホログラム記録媒体４外周側に配置するようにしてもよい。
【０１１３】
また、上記の本実施の形態におけるカートリッジ収納型ホログラム記録媒体１において、カートリッジ２に、次のような対処を施すようにしてもよい。図１６は、この対処が施されたカートリッジ２Ａの斜視図、図１７は、この対処が施されたカートリッジ収納型ホログラム記録媒体１Ａにおけるシャッター３が開いた状態のカートリッジ開口部５Ａ付近の拡大斜視図である。
【０１１４】
図１６、図１７において、カートリッジ収納型ホログラム記録媒体１Ａには、このカートリッジ収納型ホログラム記録媒体１Ａのカートリッジ２Ａの外縁端に、この外縁端に沿ってカートリッジ開口部５Ａを閉塞するカートリッジ架橋桟（前述の筐体架橋桟）５ｂを形成している。
【０１１５】
このカートリッジ架橋桟５ｂは、カートリッジ収納型ホログラム記録媒体１に内蔵されているディスク型ホログラム記録媒体４に対する参照光ＲＬ、参照光ＣＲＬ、及び、信号光ＳＬの投射や、ディスク型ホログラム記録媒体４からの再生光ＣＬの出射を妨げないように、カートリッジ２Ａの外縁端に形成されている。
【０１１６】
このカートリッジ架橋桟５ｂにより、カートリッジ２Ａの剛性が向上し、カートリッジ２１全体の厚みを薄くすることができる。また、耐振動性を向上することができる。これにより、ディスク型ホログラム記録媒体１Ａの振動を抑制することができ、この振動により発生する記録信号の干渉縞の揺らぎを、低減することができる。
【０１１７】
また、上記の本実施の形態におけるカートリッジ収納型ホログラム記録媒体１において、シャッター３に、次のような対処を施すようにしてもよい。図１８は、この対処が施されたシャッター３Ａの斜視図、図１９は、この対処が施されたカートリッジ収納型ホログラム記録媒体１Ｂにおけるシャッター３Ａが開いた状態のカートリッジ開口部５付近の拡大斜視図である。
【０１１８】
図１８、図１９において、カートリッジ収納型ホログラム記録媒体１Ｂには、このカートリッジ収納型ホログラム記録媒体１Ｂのシャッター開口部６Ａの外縁端に、この外縁端に沿ってシャッター開口部６Ａを閉塞するシャッター架橋桟６ｂを形成している。
【０１１９】
このシャッター架橋桟６ｂは、上述したカートリッジ架橋桟５ｂと同様、カートリッジ収納型ホログラム記録媒体１に内蔵されているディスク型ホログラム記録媒体４に対する参照光ＲＬ、参照光ＣＲＬ、及び、信号光ＳＬの投射や、ディスク型ホログラム記録媒体４からの再生光ＣＬの出射を妨げないように、シャッター３Ｂの外縁端に形成されている。
【０１２０】
このシャッター架橋桟６ｂにより、シャッター３Ａの剛性が向上し、耐振動性を向上することができる。これにより、ディスク型ホログラム記録媒体１Ｂの振動を抑制することができ、この振動により発生する記録信号の干渉縞の揺らぎを、低減することができる。また、カートリッジ２全体の厚みを薄くすることができる。
【０１２１】
上述したカートリッジ２Ａに施された対処、及び、シャッター３Ａに施された対処は、上記の本実施の形態におけるカートリッジ収納型ホログラム記録媒体１に対して、双方を一緒に反映するようにしてもよい。
【符号の説明】
【０１２２】
１  カートリッジ収納型ホログラム記録媒体
１Ａ  カートリッジ収納型ホログラム記録媒体
１Ｂ  カートリッジ収納型ホログラム記録媒体
２  カートリッジ
２Ａ  カートリッジ
３  シャッター
３Ａ  シャッター
４  ディスク型ホログラム記録媒体
４ａ  透明基板
４ｂ  透明基板
４ｃ  記録媒体
４ｄ  ハブ
５  カートリッジ開口部
５Ａ  カートリッジ開口部
５ａ  カートリッジ円状開口面
５ｂ  カートリッジ架橋桟
６  シャッター開口部
６Ａ  シャッター開口部
６ａ  シャッター円状開口面
６ｂ  シャッター架橋桟
１０  記録再生装置
１１  光学系機構
２０  レーザ光源
２１  コリメータ部
２２  記録シャッター
２３  ビーム分離部
２４  偏向ミラー
２５  リレーレンズ
２６  偏光ビームスプリッター（ＰＢＳ）
２７  アパーチャー
２８  対物レンズ
２９  共役ミラー
２９ａ  １／４波長板
３０  撮像素子
３１  反射型液晶空間変調素子
４１  キャリッジ
４１ａ  フォーク端部
４１ｂ  凹部
４２  回転駆動機構
ＲＬ  参照光
ＳＬ  信号光
ＣＲ  Ｌ参照光
ＣＬ  再生光
【図１】
2010238306.tif 000003
【図２】
2010238306.tif 000004
【図３】
2010238306.tif 000005
【図４】
2010238306.tif 000006
【図５】
2010238306.tif 000007
【図６】
2010238306.tif 000008
【図７】
2010238306.tif 000009
【図８】
2010238306.tif 000010
【図９】
2010238306.tif 000011
【図１０】
2010238306.tif 000012
【図１１】
2010238306.tif 000013
【図１２】
2010238306.tif 000014
【図１３】
2010238306.tif 000015
【図１４】
2010238306.tif 000016
【図１５】
2010238306.tif 000017
【図１６】
2010238306.tif 000018
【図１７】
2010238306.tif 000019
【図１８】
2010238306.tif 000020
【図１９】
2010238306.tif 000021